【手続補正書】
【提出日】平成20年1月18日(2008.1.18)
【手続補正１】
【補正対象書類名】明細書
【補正対象項目名】特許請求の範囲
【補正方法】変更
【補正の内容】
【特許請求の範囲】
【請求項１】  制御装置（４）を介して、各個スイッチング素子（３２〜３５）から作られるブリッジ回路（２８）を駆動し、ブリッジ回路（２８）を介して消費装置、特に溶接プロセスにエネルギー源（２９）からエネルギー、特に電圧パルスおよび電流パルスを供給し、ここで、動作点（５７）が共振回路（２７）の特性曲線において共振周波数の外にあるように制御装置（４）がブリッジ回路（２８）を駆動し、ここで、ブリッジ回路（２８）を、制御装置（４）において設けられたスイッチング状態（Ｓ１〜Ｓ４）に応じて連続的に駆動し、前記消費装置に抵抗変化が生じたとき、制御装置（４）によって、ブリッジ回路（２８）が共振回路（２７）の固有周波数をもって駆動される特殊動作モードをブリッジ回路（２８）で実行し、このブリッジ回路（２８）を、前記特殊動作モードのために設けられたスイッチング状態ないしはフローに応じて駆動する仕方で、直並列変換器として作られた共振回路（２７）を備えた溶接用電源（２）を調整する方法であって、
標準動作モードに関するスイッチング状態（S１〜S４）が、全ブリッジとして作られたブリッジ回路（２８）の正の駆動相−スイッチング状態（Ｓ１）−、正のフリーホイーリング相−スイッチング状態（Ｓ２）−、負の駆動相−スイッチング状態（Ｓ３）−および負のフリーホイーリング相−スイッチング状態（Ｓ４）−によって決定されており、ブリッジ回路（２８）が、前記特殊動作モードにおいて駆動相−スイッチング状態（Ｓ１またはＳ３）−から望ましくは連続的に複数の代替的スイッチング状態における２つの相互スイッチング状態のうちの一方（Ｓ５またはＳ６）に切替えられ、ここで、１つのブリッジ分岐のスイッチング素子（３４；３５）が非アクティブ化され、別のブリッジ分岐のスイッチング素子（３３；３２）がアクティブ化されたままで、ここでまた、どれだけの回数、特殊状態（Ｓ５；Ｓ６）からもう１つの特殊状態（Ｓ６；Ｓ５）に切替えられるか、制御装置（４）によって監視されることを特徴とする方法。
【請求項２】  請求項1に記載の方法であって、ブリッジ回路（２８）のスイッチング素子（３２〜３５）の複数のスイッチング状態（S１〜S４）の順序が制御装置（４）に記憶されることを特徴とする方法。
【請求項３】  請求項１または２に記載の方法であって、前記消費装置において一定の比率でスイッチング状態（S１〜S４）をアクティブ化する動作を、共振回路（２７）の状態量である電流の連続する２回のゼロ通過点間の時間差から導き出すことを特徴とする方法。
【請求項４】  請求項１乃至３の何れか一つに記載の方法であって、前記標準動作モードに関する個々のスイッチング状態（S１〜S４）を、制御装置（４）によって、自発振動する共振回路（２７）の状態量であるゼロ通過から導き出し、および／または割当てることを特徴とする方法。
【請求項５】  請求項１乃至４の何れか一つに記載の方法であって、個々のスイッチング状態（S１〜S４）の間の切替えを制御装置（４）によって、溶接用電源（２）の前記標準動作モードにおいて連続的に繰返されることを特徴とする方法。
【請求項６】  請求項１乃至５の何れか一つに記載の方法であって、前記特殊動作モードにおいて電流ゼロ通過が起こると、制御装置（４）がブリッジ回路（２８）を直接、１つの駆動相−スイッチング状態（Ｓ１またはＳ３）−からもう１つの駆動相−スイッチング状態（Ｓ３またはＳ１）−に切替えることを特徴とする方法。
【請求項７】  請求項１乃至６の何れか一つに記載の方法であって、ブリッジ回路（２８）、特に半ブリッジまたは全ブリッジの駆動が、可変の周期持続時間と組み合わされたパルス幅変調の方式によって制御信号ファイおよびアルファを使って行われることを特徴とする方法。
【請求項８】  請求項１乃至７の何れか一つに記載の方法であって、制御装置（４）により、制御信号ファイおよびアルファと、共振回路（２７）の状態量であるゼロ通過、特に共振回路（２７）における電流ゼロ通過に応じて、ブリッジ回路（２８）のスイッチング素子（３２〜３５）に関するスイッチング状態（Ｓ１〜Ｓ６）が決定され、これに応じて前記ブリッジ回路が駆動されることを特徴とする方法。
【請求項９】  請求項１乃至８の何れか一つに記載の方法であって、スイッチング素子（３２と３３）、特にＩＧＢＴトランジスタが、共振回路（２７）の電流ゼロ通過の直前または直後に制御信号アルファに切替えられ、スイッチング素子（３４と３５）、特にＭＯＳＦＥＴトランジスタが、制御信号ファイ、特に共振回路（２７）における電流の位相角制御信号ファイに切替えられることを特徴とする方法。
【請求項１０】  請求項１乃至９の何れか一つに記載の方法であって、ブリッジ回路（２８）を制御または調整する制御装置（４）に関する制御量ないしは調整量が、制御信号アルファおよびファイと、共振回路（２７）の状態量であるゼロ通過、特に共振電流（５８）または共振電圧のゼロ通過によって作られることを特徴とする方法。
【請求項１１】  請求項１乃至１０の何れか一つに記載の方法であって、正の駆動相−スイッチング状態（Ｓ１）−および負の駆動相−スイッチング状態（Ｓ３）−のとき、溶接用電源（２）の中間回路、つまりエネルギー源（２９）から電流がスイッチング素子（３２〜３５）を経由して共振回路（２７）へと流れ、これで前記消費装置、特に溶接トーチ（１０）へと流れ、これに対し、正または負のフリーホイーリング相−スイッチング状態（Ｓ２；Ｓ４）−のとき、前記中間回路からブリッジ回路（２８）のスイッチング素子（３２〜３５）を経由して共振回路（２７）に至る電流の流れが起こらず、ないしはエネルギー供給が行われず、ここでそれでも、共振回路（２７）における電流の流れが維持されたままであることを特徴とする方法。
【請求項１２】  請求項１乃至１１の何れか一つに記載の方法であって、駆動相における電流の流れがスイッチング素子（３２と３５；３３と３４）の対ごとのアクティブ化によって作られ、これに対し、フリーホイーリング相においてスイッチング素子（３２と３４；３３と３５）がアクティブ化されることを特徴とする方法。
【請求項１３】  請求項１乃至１２の何れか一つに記載の方法であって、制御装置（４）が絶えずスイッチング状態（Ｓ１〜Ｓ４）を、ちょうどそこに存在する共振電流の半周期に割当て、それで、同期化の後にブリッジ回路（２８）が正しい時点で再び前記標準動作モードに切替えられるようにすることを特徴とする方法。
【請求項１４】  請求項１乃至１３の何れか一つに記載の方法であって、制御装置（４）および論理ユニット（７６）とそれぞれ複数のコンパレータ（８１〜８４）が接続され、このコンパレータ（８１〜８４）が、測定装置（４７および／または７０）から供給された、実際に現れる電流値および電圧値、特に実測値を、設けられた相応の目標値と比較し、ここで、実測値が目標値を超えている場合、調整、特に特殊調整方式が制御装置（４）によって実行されることを特徴とする方法。
【請求項１５】  請求項１４に記載の方法であって、コンパレータ（８１）が、測定装置（４７）から供給された共振電流“Ｉｒｅｓ”を所与の最大限許容し得る目標電流“Ｉｍａｘ”と比較し、ここで、目標電流“Ｉｍａｘ”を超えると、信号“Ｉｒｅｓｍａｘ”が論理ユニット（７６）に向けて線路（８５）経由で出力されることを特徴とする方法。
【請求項１６】  請求項１４に記載の方法であって、コンパレータ（８３）が、測定装置（７０）の溶接電圧“Ｕ”を所与の最大限許容し得る目標電圧“Ｕｍａｘ”と比較し、ここで、この目標電圧“Ｕｍａｘ”を超えると、信号が線路（８７）経由で論理ユニット（７６）に伝送されることを特徴とする方法。
【請求項１７】  請求項１５または１６に記載の方法であって、前記共振回路における複数回の電流ゼロ通過の後に信号“Ｉｒｅｓｍａｘ”および／または“Ｕｒｅｓｍａｘ”が目標値“Ｉｍａｘ”および／または“Ｕｍａｘ”より下に下がっているかどうか、制御装置（４）によって監視されることを特徴とする方法。
【手続補正２】
【補正対象書類名】明細書
【補正対象項目名】００６５
【補正方法】変更
【補正の内容】
【００６５】
この実施態様では、１つの駆動相Ｓ１またはＳ３からもう１つの駆動相Ｓ３またはＳ１への切替え（図２〜７に示す通りの）がもはや行われず、特殊動作モードにおいて、ちょうどそのときブリッジ回路２８がスイッチング状態Ｓ１〜Ｓ４のどこにあるかに応じてスイッチング状態Ｓ５および／またはＳ６が使用される形で切替えが行われる。この特殊動作モードになると今や、出力変化、つまり共振周波数の増大または低減の結果として、制御装置４によってスイッチング素子３２〜３５は、前掲の表に従って駆動相Ｓ１またはＳ３から特殊なスイッチング状態Ｓ５またはＳ６に切替えられることになる。ここで、スイッチング素子３４および３５は非アクティブ化され、付属のスイッチング素子３３または３２はアクティブ化される。これにより、エネルギー源２９からブリッジ回路２８を経由する電流の流れはアクティブに中断され、溶接用電源２、特にインバータは、新たな共振周波数に適合ないしは同期化することができる。それでも、フリーホイーリングダイオード３６〜３９の配置により、ないしは、出力トランジスタへのフリーホイーリングダイオードの一体化により、共振回路２７の電流回路は依然維持され、これにより、制御装置４によって引き続き共振電流５８の電流ゼロ通過を分析評価することができ、それで、同期化を行うことができる。
【手続補正３】
【補正対象書類名】明細書
【補正対象項目名】００７５
【補正方法】変更
【補正の内容】
【００７５】
コンパレータ８１は、そこで、測定装置４７から供給された共振電流“ＩRes”を所与の最大限許容し得る目標電流“Ｉmax”と比較することを役割とし、ここで、目標電流“Ｉmax”を超えると、信号“Ｉresmax”が論理ユニット７６に向けて線路８５経由で出力される。別のコンパレータ８２の方は、共振電流“ＩRes”をゼロ電位と比較し、ここで、共振電流“ＩRes”の電流ゼロ通過が起こるたびに信号が線路８６経由で出力される。この比較により、ゼロ点判別が実行され、変換器７５に伝達される。
【手続補正４】
【補正対象書類名】明細書
【補正対象項目名】００７６
【補正方法】変更
【補正の内容】
【００７６】
別のコンパレータ８３では、測定装置７０の溶接電圧“Ｕ”が所与の最大限許容し得る目標電圧“Ｕmax”と比較され、ここで、この目標電圧“Ｕmax”を超えると、信号“Ｕresmax”が線路８７経由で論理ユニット７６に伝送される。別のコンパレータ８４は、例えば溶接装置１に配置された冷却体の温度“Ｔ”を監視し、最大目標値“Ｔmax”と比較するのに使用できる。自明のことながら、溶接用電源２の安全な動作を保証するために、到達技術水準から知られている更に別の監視システムを使用することも可能である。